(57)【要約】【課題】搬送装置の騒音を防止する。【解決手段】搬送経路に沿って配設された複数の無端状チェーン間に掛け渡され、搬送方向に直交する方向に長い多数の物品支持体１を有する搬送装置において、物品支持体１の長さ方向に沿って形成された前部および後部の緩衝用区画空間３１，３２に、長さ方向に沿う開放部３１ａ，３２ａが形成され、前記前部および後部の緩衝用区画空間３１，３２に、緩衝用区画空間３１，３２の断面形状と同一の断面形状に形成された吸音体３４，３５を嵌合して防音構造とした。【選択図】図１
2007290838.tif 000002
【特許請求の範囲】
【請求項１】
物品支持体上に被搬送物品を載置し、当該物品支持体を搬送経路に沿って移動して前記被搬送物品を搬送する搬送装置の防音構造であって、
前記物品支持体に、前記被搬送物品を載置する載置板部と、当該載置板部の載置面と反対側に形成されて一部が開放された複数の区画空間とが設けられ、
前記区画空間の少なくとも一部に、前記物品支持体が発生する音を吸収する吸音体が設けられた
ことを特徴とする搬送装置の防音構造。
【請求項２】
前記物品支持体は、前記搬送経路に並設された複数の無端回動体間に掛け渡して設けられるとともに、前記搬送経路に直交する方向に長く形成され、
前記区画空間は、前記物品支持体の長さ方向に沿って同一断面に形成されるとともに、前記開放部分が長さ方向に沿って形成され、
前記吸音体は、前記区画空間と同一または略同一断面に形成されるとともに、前記区画空間の全長にわたって設けられ、
前記吸音体により前記区画空間の前記開放部分が閉鎖された
ことを特徴とする請求項１記載の搬送装置の防音構造。
【請求項３】
前記物品支持体に、当該物品支持体上に載置された前記被搬送物品を前記搬送経路と直交する方向に押出し可能な物品横押し体が移動自在に設けられ、
前記区画空間は、搬送方向の中央部に形成され前記物品横押し体を案内する案内用区画空間と、当該案内用区画空間の搬送方向の前部および後部にそれぞれ形成された緩衝用区画空間とからなり、
前記吸音体は前記前部および後部の緩衝用区画空間にそれぞれ設けられた
ことを特徴とする請求項１または２記載の搬送装置の防音構造。
【請求項４】
前記吸音体は、前記物品支持体と固有振動数が異なる発泡樹脂材料から形成された
ことを特徴とする請求項１乃至３のいずれか１項に記載の搬送装置の防音構造。
【発明の詳細な説明】
【技術分野】
【０００１】
本発明は、物品支持体上に被搬送物品を載置し、当該物品支持体を搬送経路に沿って移動して被搬送物品を搬送する搬送装置の防音構造に関する。
【背景技術】
【０００２】
従来、搬送装置では、音の発生源、たとえばスラットコンベア装置では、スラットバーがスプロケット上をターンする転向部に、吸音材を内側に貼り付けた防音カバーで覆うなどの防音対策が行われている。
【０００３】
また搬送装置の搬送ローラに設けられる防音構造として、たとえば特許文献１がある。この特許文献１には、鋼材等を搬送する搬送ローラ装置において、被搬送物との衝突による騒音を防止するために、搬送ローラの空間部にシリコーン樹脂を注入した後、回転させることにより、搬送ローラの内壁面に一様な厚さの吸音層を形成するものが開示されている。この特許文献１では、搬送ローラの内壁面に吸音層を一体に形成することにより、搬送ローラ自体の振動特性を変化させて振動と共振などにより発生する振動騒音を抑制している。
【０００４】
さらに特許文献２には、ローラコンベヤの金属製のローラに、材質の異なるゴム製の吸音リングを嵌め込んだものが開示され、吸音リングによりローラの振動騒音を吸収している。
【特許文献１】特開平８−１５７０３６号公報（図４）
【特許文献２】実開平６−６７４２７号公報（図１）
【発明の開示】
【発明が解決しようとする課題】
【０００５】
ところで、搬送装置の種類には、特許文献１のように搬送ローラを一定位置で回転させて物品を搬送するものの他に、物品支持体（スラットバー）を循環移動させて物品を搬送するたとえばスラットコンベヤ装置などがある。このような物品支持体は空間部が形成されており、この空間部の一部が開放されていた場合、搬送装置の物品支持体には、１）物品が物品支持体に乗り移る際に生じる振動や物品支持体がスプロケット上をターンする転向部に生じる機械振動による振動音、２）空間部の空気振動による空洞共鳴音、３）空間部の一部が開放された開放部分から空間部内に流入する渦流による振動音、気流音、風切り音などによる空力音などが発生する。
【０００６】
上記防音カバーによる防音構造は、発生した音を封じ込める対処法に過ぎず、発生音の発生原因を無くすような根本的な対策となっていないため、搬送装置において効果的に発生音を解消することができなかった。
【０００７】
また特許文献１では、搬送ローラの空間部に樹脂を注入して回転させ吸音層を形成しているため、一部が開放されている空間部に吸音層を形成することができないという問題があった。
【０００８】
さらに特許文献２では、ゴム製の吸音リングにより、被搬送物がローラに接触した際に生じる金属音を吸収するもので、振動騒音は吸収できるものの、空洞共鳴音や空力音の減衰には効果が低いという問題があった。
【０００９】
本発明は上記問題点を解決して、搬送装置における発生音を容易かつ効果的に防止できる搬送装置の防音構造を提供することを目的とする。
【課題を解決するための手段】
【００１０】
請求項１記載の発明は、物品支持体上に被搬送物品を載置し、当該物品支持体を搬送経路に沿って移動して前記被搬送物品を搬送する搬送装置の防音構造であって、前記物品支持体に、前記被搬送物品を載置する載置板部と、当該載置板部の載置面と反対側に形成されて一部が開放された複数の区画空間とが設けられ、前記区画空間の少なくとも一部に、前記物品支持体が発生する音を吸収する吸音体が設けられたものである。
【００１１】
上記構成において、物品支持体の区画空間内に吸音体を設けて物品支持体の振動特性を変化させ、耳障りな振動音を減少させるとともに、区画空間内の空気振動を効果的に抑制して空洞共鳴音を減少させる。
【００１２】
請求項２記載の発明は、請求項１記載の構成において、前記物品支持体は、前記搬送経路に並設された複数の無端回動体間に掛け渡して設けられるとともに、前記搬送経路に直交する方向に長く形成され、前記区画空間は、前記物品支持体の長さ方向に沿って同一断面に形成されるとともに、前記開放部分が長さ方向に沿って形成され、前記吸音体は、前記区画空間と同一または略同一断面に形成されるとともに、前記区画空間の全長にわたって設けられ、前記吸音体により前記区画空間の前記開放部分が閉鎖されたものである。
【００１３】
上記構成において、区画空間と同一または略同一断面に形成された吸音体を区画空間の全長にわたって設け、開放部分を閉鎖して開放部分から区画空間に流入する空気流による気流音、風切り音などの空力音を減少させ、さらに吸音体により区画空間を埋めることで空洞共鳴音を無くす。
【００１４】
請求項３記載の発明は、請求項１または２記載の構成において、前記物品支持体に、当該物品支持体上に載置された前記被搬送物品を前記搬送経路と直交する方向に押出し可能な物品横押し体が移動自在に設けられ、前記区画空間は、搬送方向の中央部に形成され前記物品横押し体を案内する案内用区画空間と、当該案内用区画空間の搬送方向の前部および後部にそれぞれ形成された緩衝用区画空間とからなり、前記吸音体は前記前部および後部の緩衝用区画空間にそれぞれ設けられたものである。
【００１５】
上記構成において、物品支持体の前部および後部の緩衝用区画空間に吸音体をそれぞれ嵌合して複合化して物品支持体の振動特性を変化させ、振動の伝達と共振とにより発生する耳障りな振動音を抑制し、空洞共鳴音を減少させ、さらに空力音を減少させる。
【００１６】
請求項４記載の発明は、請求項１乃至３のいずれか１項に記載の構成において、前記吸音体は、前記物品支持体と固有振動数が異なる発泡樹脂材料から形成されたものである。
上記構成において、物品支持体と固有振動数の異なる発泡樹脂材料からなる吸音体により効果的に音を減少させる。
【発明の効果】
【００１７】
請求項１記載の発明によれば、物品支持体の少なくとも一部に設けられた吸音体により、物品支持体の振動特性を変化させて振動の伝達や共振を抑制し、被搬送物品が物品支持体に乗り移る際に生じる振動や物品支持体がスプロケット上をターンする転向部に生じる機械振動による振動音などを効果的に減少させることができる。また吸音体により、区画空間内の空気振動を抑えて空洞共鳴音を効果的に減衰させることができる。これにより物品支持体から発生する発生音を容易かつ効果的に防止することができる。
【００１８】
請求項２記載の発明によれば、物品支持体の長さ方向に形成された区画空間に対して、同一または略同一断面の吸音体を全長にわたって嵌合したので、区画空間内が埋められて中実状となり、空洞共鳴音が発生することがない。また吸音体により区画空間の開放部分が閉鎖されるので、開放部分のエッジ部分に生じる渦流による振動音や開放部分から区画空間に流入する気流音、風切り音が低減でき、空力音を効果的に抑制することができる。
【００１９】
請求項３記載の発明によれば、物品支持体に移動自在な物品横押し体が設けられた搬送装置であっても、前部および後部の緩衝用区画空間にそれぞれ吸音体を設けることで、物品横押し体が物品支持体に沿って移動し被搬送物品を押出す際の摺動により生じる振動音を効果的に抑制することができる。
【００２０】
請求項４記載の発明によれば、物品支持体と固有振動数の異なる発泡樹脂材料からなる吸音体を使用することにより、物品支持体からの発生音をそれぞれ効果的に減少させることができる。
【発明を実施するための最良の形態】
【００２１】
以下、本発明の実施の形態を図面に基づいて説明する。
［実施の形態１］
この搬送装置は、図４，図５に示すように、主搬送経路（搬送経路）Ａに設置されたスラットコンベア装置で、物品支持体（スラットバー）１上に載置されて搬送される物品（被搬送物品）Ｄを、物品横押し体（スライドシュー）１１により主搬送経路Ａの途中に接続された分岐経路Ｂ，Ｃの分岐シュートや分岐搬送装置に押し出して振り分け可能に構成されたものである。
【００２２】
（搬送装置の概要）
この搬送装置は、図４〜図６に示すように、本体フレーム２が、上位フレーム材３ａと下位フレーム材３ｂが連結フレーム材３ｃを介して連結された左右の側部フレーム３Ａ，３Ａを具備し、これら左右の側部フレーム３Ａ，３Ａが図６に示す複数の中間枠部材３Ｂにより連結されて構成されている。そしてこの本体フレーム２が複数の脚部材４を介して床面上に設置されている。主搬送経路Ａの側部フレーム３Ａ，３Ａ間には、主搬送経路Ａの始端部（図４右側）に従動軸５が軸受を介して回転自在に支持されるとともに、主搬送経路Ａの終端部（図４左側）に駆動軸６が軸受を介して回転自在に支持され、前記駆動軸６に駆動装置７が連結されている。そして従動軸５と駆動軸６には、左右の側部フレーム３Ａ，３Ａ間で互いに対向する位置に左右一対のスプロケット８Ａ，８Ｂがそれぞれ取り付けられ、対向するスプロケット８Ａ，８Ｂに無端状チェーン（無端回動体）９，９がそれぞれ巻張されている。
【００２３】
さらに、これら無端状チェーン９，９間に図６に示すサイドブラケット１０，１０を介して主搬送経路Ａと直交する左右方向に長い多数の物品支持体１が一定ピッチで連結されている。また前記各物品支持体１には、物品支持体１上に載置された物品Ｄを分岐経路Ｂ，Ｃに押し出すための物品横押し体１１がそれぞれ移動自在に外嵌されている。そして、本体フレーム２の中間枠部材３Ｂの上位に、前記物品横押し体１１を左右方向に移動させるための往路案内装置４１（図７）が設けられ、中間枠部材３Ｂの下位に、前記物品横押し体１１を元の位置に戻すための復路案内装置５１（図８）が設けられている。
【００２４】
（物品支持体）
図１，図３に示すように、物品支持体１は金属製、たとえばアルミニウム合金製で、左右方向に長い長尺状であり、かつ長さ方向に同一の断面形状の型材状に形成されている。そして各物品支持体１は、物品Ｄが載置される載置面を形成する扁平状の載置板部２１と、扁平状の載置板部２１の搬送方向の前端部から載置面の反対側に折り曲げられて後方に少し傾斜する前板部２２と、載置板部２１の搬送方向の後端部から載置面の反対側に折り曲げられて前方に少し傾斜する後板部２３と、前板部２２および後板部２３間に所定間隔をあけて載置板部２１からそれぞれ垂下された前脚板部２４および後脚板部２５とを具備し、前板部２２の下端部に後側に湾曲する前位湾曲部２２ａが形成され、また後板部２３の下端部に前側に湾曲する後位湾曲部２３ａが形成されている。これにより、物品支持体１には、載置板部２１の前部、前板部２２、前位湾曲部２２ａおよび前脚板部２４に囲まれた前部の緩衝用区画空間（区画空間）３１が形成され、その前部の緩衝用区画空間３１の下面に開放部（開放部分）３１ａが長さ方向に沿って形成される。また載置板部２１の後部、後板部２３、後位湾曲部２３ａおよび後脚板部２５に囲まれて物品横押し体１１を案内する後部の緩衝用区画空間（区画空間）３２が形成され、その後部の緩衝用区画空間３２の下面に開放部（開放部分）３２ａが長さ方向に沿って形成される。さらに、載置板部２１の中間部、前脚板部２４および後脚板部２５により囲まれた案内用区画空間（区画空間）３３が形成され、案内用区画空間３３の下面に開放部（開放部分）３３ａが長さ方向に沿って形成されている。この案内用区画空間３３は、前脚板部２４および後脚板部２５の下端部から内側に突出された張出し部２４ａ，２５ａにより奥側（上部）が広い蟻溝形断面に形成され、前記両張出し部２４ａ，２５ａの上面に下位案内面２４ｂ，２５ｂがそれぞれ形成されている。また前脚板部２４および後脚板部２５の上位内面に、上位案内面２４ｃ，２５ｃがそれぞれ形成されている。
【００２５】
（物品横押し体および往路案内装置、復路案内装置）
前記物品横押し体１１は、図２，図３に示すように、物品支持体１に移動自在に外嵌される矩形筒部１２と、この矩形筒部１２上に設けられて物品支持体１上に載置された物品Ｄを押出す横押し作用部１３とで構成される。前記矩形筒部１２は、横押し作用部１３の前縁部から前板１４が下方に突出され、また横押し作用部１３の後縁部から後板１５が下方に突出され、前記前板１４と前記後板１５の下端部が底板１６により連結されて、物品支持体１に外嵌する空間が形成されている。そして、前記底板１６の上面に、物品支持体１の開放部３３ａから案内用区画空間３３内に嵌合される被嵌合部２０が突設され、また前記底板１６の下面に、案内ローラ１８を回転自在に支持するローラ軸（支持軸の一例）１７が突設されている。さらに前記被嵌合部２０には、前後の脚板部２４，２５の下位案内面２４ｂ，２５ｂに摺接する下部摺接面２０ａ，２０ａと、脚板部２４の内面上部の上位案内面２４ｃに摺接する上部押圧摺接面２０ｂ、および脚板部２５の内面上部の上位案内面２５ｃに摺接する上部摺接面２０ｃとがそれぞれ形成されている。
【００２６】
横押し作用部１３は、平面視で搬送方向の前部が広い略台形状でかつ前部下方から後部上方に傾斜する傾斜天面部１３ａと、この傾斜天面部１３ａの後端部から下方に垂下された後面部１３ｂと、左右両側面で前部外側から後部中心側に傾斜された横押し当接面１３ｃ，１３ｃとを有し、これら左右の横押し当接面１３ｃ，１３ｃには、複数の縦溝が形成されたゴム製の当接部材１９がそれぞれ取り付けられている。
【００２７】
前記各物品横押し体１１を案内ローラ１８またはローラ軸１７を介して移動させる往路案内装置４１は、図７に示すように、本体フレーム２の上位の中間枠部材３Ｂの上面側に配置されている。往路案内装置４１は、始端部側から終端部側に、左右一対の始端案内部４２，４２と、交差部に向かって内側に傾斜する左右一対の内移動案内部４３Ａ，４３Ａと、前記交差部から外側に傾斜する左右一対の外移動案内部４３Ｂ，４３Ｂと、左右一対の終端案内部４４，４４とが順次設置され、それぞれ案内ローラ１８またはローラ軸１７を案内する。そして始端案内部４２と内移動案内部４３Ａ，４３Ａとの間に、振り分け手段４５Ａ，４５Ｂがそれぞれ設けられ、また内移動案内部４３Ａ，４３Ａと外移動案内部４３Ｂ，４３Ｂとの交差部に往路切り換え手段４６が設けられている。
【００２８】
復路案内装置５１は、図８に示すように、本体フレーム２の下位の中間枠部材３Ｂの下面側に配置されており、終端側から始端側に、左右一対の終端案内部５２，５２と、交差部に向かって内側に傾斜する左右一対の内移動案内部５３Ａ，５３Ａと、前記交差部から外側に傾斜する左右一対の外移動案内部５３Ｂ，５３Ｂと、左右一対の始端案内部５４，５４とが配設されて、案内ローラ１８またはローラ軸１７をそれぞれ案内するように構成される。また前記交差部に復路切り換え手段５６が配置されている。
【００２９】
したがって、搬送される物品Ｄに応じて、制御装置（図示せず）により振り分け手段４５Ａ，４５Ｂと往路，復路切り換え手段４６，５６がそれぞれ操作される。これにより、案内ローラ１８が一方の始端案内部４２から内移動案内部４３Ａおよび外移動案内部４３Ｂを介して他方の終端案内部４４に移動されると、物品横押し体１１が物品支持体１に沿って左右方向に移動され、物品Ｄが主搬送経路Ａから分岐経路ＢまたはＣに押し出される。また案内ローラ１８が一方の始端案内部４２からフリー状態で一方の終端案内部４４，４４に移動されると、各物品横押し体１１が左右方向に移動されることなく、物品Ｄが主搬送経路Ａに沿って搬送される。
【００３０】
（防音構造）
図１，図３に示すように、実施の形態１では、前部の緩衝用区画空間３１および後部の緩衝用区画空間３２に吸音体３４，３５をそれぞれ全長にわたって嵌合して、中実状として空気振動が生じる共鳴空間を無くしている。これら吸音体３４，３５は、たとえば軽量で押出し成形可能な発泡樹脂であるポリエステル系ポリウレタンフォームにより形成されている。そして、前部の緩衝用区画空間３１に嵌合される吸音体３４は、載置板部２１の前部内面に対応する上面部３４ａと、前板部２２および前位湾曲部２２ａの両内面に対応する前面部３４ｂと、前脚板部２４に対応する後面部３４ｃと、開放部３１ａを閉鎖する底面部３４ｄとを有し、前部の緩衝用区画空間３１の断面と同一または略同一の断面形状に形成されている。また後部の緩衝用区画空間３２に嵌合される吸音体３５は、載置板部２１の後部内面に対応する上面部３５ａと、後板部２３および後位湾曲部２３ａの両内面に対応する後面部３５ｂと、後脚板部２５に対応する前面部３５ｃと、開放部３２ａを閉鎖する底面部３５ｄとを有し、後部の緩衝用区画空間３２の断面と同一または略同一の断面形状に形成されている。
【００３１】
そして前記吸音体３４，３５の取付に際しては、予め押出し成形などにより定尺の吸音体３４，３５を成形しておき、これを物品支持体１の長さに合わせて切断し、これら吸音体３４，３５を物品支持体１の前部の緩衝用区画空間３１および後部の緩衝用区画空間３２にそれぞれ嵌入して物品支持体１と一体化する。ついで物品支持体１の両端部にサイドブラケット１０を取り付け、これら物品支持体１をそれぞれサイドブラケット１０を介して無端状チェーン９，９間に取り付ければよい。
【００３２】
（搬送装置の動作）
上記構成において、駆動装置７により駆動軸６および従動軸５ならびにスプロケット８Ａ，８Ｂを介して無端状チェーン９，９がそれぞれ移動され、無端状チェーン９，９間に取り付けられた多数の物品支持体１が循環移動される。そして、物品支持体１上に載置された物品Ｄが主搬送経路Ａに沿って始端部側から終端部側に搬送される。さらに制御装置により、各物品Ｄに対応して振り分け手段４５Ａ，４５Ｂおよび往路，復路切り換え手段４６，５６がそれぞれ操作される。主搬送経路Ａから分岐経路ＢまたはＣに送り出される物品Ｄが搬入されると、物品横押し体１１の案内ローラ１８またはローラ軸１７が、往路案内装置４１の一方の始端案内部４２から振り分け手段４５Ａまたは４５Ｂを介して内移動案内部材４３Ａに案内され、さらに往路切り換え手段４６から外移動案内部材４３Ｂに案内されて他方の終端案内部４４に至る。これにより物品横押し体１１が搬送方向に移動されつつ物品支持体１に沿って左右方向に移動され、物品支持体１上の物品Ｄを分岐経路ＢまたはＣに押し出す。また主搬送経路Ａに沿って搬送される物品Ｄが搬入されると、物品横押し体１１の各案内ローラ１８またはローラ軸１７が、始端案内部４２から振り分け手段４５Ａまたは４５Ｂを介してフリー状態となって終端案内部４４に至り、これにより物品横押し体１１が左右方向に移動されることなく物品Ｄが搬送方向に沿って搬送される。
【００３３】
（実施の形態の効果）
上記搬送装置において、物品Ｄが物品支持体１に乗り移る時に生じる振動や、物品Ｄを押出す時に物品横押し体１１が物品支持体１に沿って移動する際に生じる摺動による振動、物品横押し体１１が物品支持体１の下位案内面２４ｂ，２５ｂや上位案内面２４ｃ，２５ｃを介して摺動する時に生じる振動、無端状チェーン９，９の循環移動時の振動、物品支持体１がスプロケット８Ａ，８Ｂ上をターンする転向部に生じる機械振動などが伝達されて生じる振動により、無端状チェーン９，９や物品支持体１に振動音が発生する。上記構成によれば、アルミニウム合金製の物品支持体１に、物品支持体１より低い固有振動数で発泡樹脂であるポリエステル系ウレタンフォーム製の吸音体３４，３５を前部および後部の緩衝用区画空間３１，３２にそれぞれ嵌合して複合化したので、物品支持体１の振動特性である固有振動数が低くなり、これにより特に耳障りな金属音などの高い周波数の音の伝動や共振を抑制して、上記振動音を効果的に減衰させることができる。
【００３４】
また前部および後部の緩衝用区画空間３１，３２にそれぞれ吸音体３４，３５を嵌合して中実状としたので、空気振動による空洞共鳴音が発生することがない。
さらに吸音体３４，３５の底面部３４ｄ，３５ｄにより前部および後部の緩衝用区画空間３１，３２の開放部３１ａ，３２ａを全面にわたって閉鎖したので、スプロケット８Ａ，８Ｂによる無端状チェーン９，９の転向部分で、流入する空気流による振動音や風切り音などの空力音を効果的に低減することができる。これにより、物品支持体１の転向部分であっても、空力音を効果的に抑制することができる。
【００３５】
また物品支持体１の前部および後部の緩衝用区画空間３１，３２にそれぞれ吸音体３４，３５を嵌合するだけですむので、既設の搬送装置に対して容易に実施することができる。
【００３６】
（物品支持体の他の実施の形態）
また吸音体３４，３５が嵌合される物品支持体１の緩衝用区画空間３１，３２は、上記実施の形態に限るものではなく、図９に示すように、板材の前後両側をそれぞれ折り曲げ状に形成して、物品Ｄが載置される扁平状の載置板部６１の下部で移動方向の前後に矩形断面の緩衝用区画空間６２，６２をそれぞれ形成するとともに、中央部に案内用区画空間６３を形成した物品支持体６０であってもよい。前記緩衝用区画空間６２，６２には開放部６２ａ，６２ａがそれぞれの内面側に形成され、また案内用区画空間６３には開放部６３ａが下面に形成される。この場合には、前部および後部の緩衝用区画空間６２，６２に、略矩形状の吸音体６４，６４をそれぞれ嵌合して中実状とするとともに開放部６２ａ，６２ａをそれぞれ閉鎖する。これにより、それぞれ同様の作用効果を奏することができる。
【００３７】
また図１０に示すように、板材の前後両側をそれぞれ湾曲状に折り曲げ状に形成して、物品Ｄが載置される扁平状の載置板部７１の下部で移動方向の前後に円形断面の緩衝用区画空間７２，７２をそれぞれ形成するとともに、中央部に案内用区画空間７３を形成した物品支持体７０でもよい。前記緩衝用区画空間７２，７２には開放部７２ａ，７２ａがそれぞれの内面側に形成され、また案内用区画空間７３には開放部７３ａが下面に形成される。この場合には、前部および後部の緩衝用区画空間７２，７２に円柱状の吸音体７４，７４をそれぞれ嵌合して開放部７２ａ，７２ａを閉鎖する。これにより、それぞれ同様の作用効果を奏することができる。
【００３８】
（吸音体の他の実施の形態）
なお、上記実施の形態では、緩衝用区画空間３１，３２，６２，７２の全長にわたって吸音体３４，３５，６４，７４をそれぞれ嵌合により設けているが、貼付けにより設けたり、また部分的に設けても、緩衝用区画空間３１，３２，６２，７２の空気振動による空洞共鳴発生音を効果的に減衰させることができる。また吸音体３４，３５，６４，７４の断面形状を、緩衝用区画空間３１，３２，６２，７２と同一または略同一形状としたが、緩衝用区画空間３１，３２，６２，７２内で振動や揺動したり、開放部３１ａ，３２ａ，６２ａ，７２ａから外側に落下するようなことがなければ、その形状は問われない。
【００３９】
また、前部および後部の緩衝用区画空間３１，３２，６２，７２にそれぞれ吸音体３４，３５，６４，７４を嵌合したが、一方であっても発生音を減少させることができる。
さらに吸音体３４，３５を発泡樹脂製としたが、アルミニウム合金製の物品支持体１より固有振動数が低い材料（材質）や吸音性に優れた材料（材質）を使用してもよい。たとえば、木材チップやコルクチップなどを所定形状に形成した木材製の吸音体や、ダンボールなどを所定形状に形成した紙製の吸音体、合成ゴムや天然ゴムなどを所定形状に形成したゴム製の吸音体などを採用することができる。また吸音性に優れたものとして、たとえばガラス繊維を所定形状に成形したガラス繊維製の吸音体を採用することができる。さらに上記材料の複合体からなる吸音体であってもよい。
【００４０】
また吸音体３４，３５，６４，７４を、緩衝用区画空間３１、３２、６２、７２の断面形状にそれぞれ合わせて成形しているが、必ずしも予め成形する必要はなく、たとえばゴムのように弾性を有して変形可能な吸音体の場合、単に緩衝用区画空間３１、３２、６２、７２に詰め込む充填により設けてもよい。
【００４１】
（搬送装置の他の実施の形態）
なお、上記実施の形態では、物品支持体１に物品横押し体１１をそれぞれ設けた搬送装置としたが、物品横押し体１１の無いスラットコンベヤ装置であってもよい。
【００４２】
また搬送装置は、ローラコンベヤ装置やベルトコンベヤ装置であってもよい。この時、ローラコンベヤ装置やベルトコンベヤ装置の搬送ローラに吸音体を設ける。
【図面の簡単な説明】
【００４３】
【図１】本発明に係る搬送装置の防音構造の実施の形態を示す物品支持体の横断面図である。
【図２】搬送装置の物品横押し体を示す側面図である。
【図３】物品支持体の分解斜視図である。
【図４】搬送装置の概略全体平面図である。
【図５】搬送装置の概略全体側面図である。
【図６】搬送装置の横断面図である。
【図７】往路案内装置を示す平面図である。
【図８】復路案内装置を示す底面図である。
【図９】本発明に係る搬送装置の防音構造の他の実施の形態を示す物品支持体の部分分解斜視図である。
【図１０】本発明に係る搬送装置の防音構造のさらに他の実施の形態を示す物品支持体の部分分解斜視図である。
【符号の説明】
【００４４】
Ａ    主搬送経路（搬送経路）
Ｂ，Ｃ  分岐経路
Ｄ    物品
１    物品支持体
５    従動軸
６    駆動軸
７    駆動装置
８Ａ，８Ｂ  スプロケット
９    無端状チェーン
１１    物品横押し体
１７    ローラ軸
１８    案内ローラ
２１    載置板部
３１    前部の緩衝用区画空間
３１ａ  開放部
３２    後部の緩衝用区画空間
３２ａ  開放部
３３    案内用区画空間
３３ａ  開放部
３４，３５  吸音体
４１    往路案内装置
５１    復路案内装置
６０    物品支持体
６１    載置板部
６２    緩衝用区画空間
６３    案内用区画空間
６４    吸音体
７０    物品支持体
７１    載置板部
７２    緩衝用区画空間
７３    案内用区画空間
７４    吸音体
【図１】
2007290838.tif 000003
【図２】
2007290838.tif 000004
【図３】
2007290838.tif 000005
【図４】
2007290838.tif 000006
【図５】
2007290838.tif 000007
【図６】
2007290838.tif 000008
【図７】
2007290838.tif 000009
【図８】
2007290838.tif 000010
【図９】
2007290838.tif 000011
【図１０】
2007290838.tif 000012